(57)【要約】【課題】２次電池およびｌ次電池の双方を有効に利用可能な記録または再生装置を提供する。【解決手段】装着された電源が、乾電池であるか乾電池以外のバッテリーであるかを判別する判別手段３ａと、電源２ａが乾電池のときに、乾電池の残量を検出する第１の残量検出手段と、電源２ｂが乾電池以外のバッテリーのときに、バッテリーの残量を検出する第２の残量検出手段と、電源の残量表示が可能な表示手段１１とを備え、判別手段３ａの判別結果に基づいて、第１の残量検出手段及び第２の残量検出手段を選択的に用いて残量を検出し、その結果を表示手段１１に表示する。【選択図】      図３
2004178796.tif 000002
【特許請求の範囲】
【請求項１】
画像を記録または再生する装置であって、
装着された電源が、乾電池であるか乾電池以外のバッテリーであるかを判別する判別手段と、
前記電源が乾電池のときに、前記乾電池の残量を検出する第１の残量検出手段と、
前記電源が乾電池以外のバッテリーのときに、前記バッテリーの残量を検出する第２の残量検出手段と、
前記電源の残量表示が可能な表示手段とを備え、
前記判別手段の判別結果に基づいて、前記第１の残量検出手段及び前記第２の残量検出手段を選択的に用いて残量を検出し、その結果を前記表示手段に表示することを特徴とする記録または再生装置。
【請求項２】
前記判別手段の判別結果に基づいて、前記電源が乾電池のときと乾電池以外のバッテリーのときとで、前記表示手段は異なる表示形態で残量表示することを特徴とする請求項１記載の記録または再生装置。
【発明の詳細な説明】
【技術分野】
【０００１】
本発明は、充電可能な２次電池および乾電池のようなｌ次電池の双方が利用可能な記録または再生装置（ＶＴＲ）に係り、特に乾電池使用時における記録時間の延長手段等に関するものである。
【背景技術】
【０００２】
カメラ一体型のＶＴＲ装置の駆動電源としては、Ｌｉイオン電池やＮｉｃｄ電池の他に乾電池を電源として駆動することが可能となってきている。特に乾電池を電源として利用可能とすることで、野外等の出先の撮影で充電切れによるトラブルにも容易に対応できる等の利便性がある。
【０００３】
ところで近年、従来のビューファインダ装置の他に液晶カラーモニタを装備することで、撮影画面の確認を従来のビューファインダよりも大きな画像で確認することができるカメラ一体型ＶＴＲ装置が開発されている。この場合ＶＴＲ装置全体では、より多大な電力が必要になっている。このように消費電力が大きいＶＴＲを乾電池で駆動させた場合には、乾電池の消耗が激しく、短時間で乾電池の容量がなくなってしまうため、バッテリー残量を示す表示等は必要不可欠になっている。
【発明の開示】
【発明が解決しようとする課題】
【０００４】
しかしながら、上記のように乾電池を使用する場合、乾電池の放電電圧特性がＬｉイオン電池等と比較して不安定であることから、乾電池使用時に有効に利用可能なバッテリー残量を表示することができない。
一方、液晶モニタを装備していない装置においても、装置に装着されている電源の種類によらず、常に同一の動作制御を行っている。このため乾電池を電源として使用している場合において、長時間撮影を優先した低消費電力で装置全体を駆動させるような制御ができなかった。
【０００５】
ところでまた、カメラ一体型ＶＴＲ装置の場合、カメラ出力画を撮影するカメラモードを選択するカメラポジションと、記録されたビデオ画像を選択し再生するための高速再生モードや早送り／巻き戻し（ＦＦ／ＲＥＷ）モードを実行可能なＶＴＲモードポジションと、装置全体をＯＦＦする電源切りポジションの３つのポジションを選択できるものが一般的である。
【０００６】
その場合、カメラポジションでは駆動モータを高速度で回転させるモードや一時的に大電流が要求されるモード遷移がないために、乾電池を電源として利用することが可能であ。ところが、ＶＴＲモードでは駆動モータを高速度で回転させるＦＦ／ＲＥＷモードや記録位置を探し出すための頭出し動作で、一時的に大電力を必要とする急峻なメカシャーシの制御が要求されるモードがあるため、結果的にカメラ／ＶＴＲポジションによらず、乾電池による駆動を実現し得なくなっている。
【０００７】
本発明はかかる実情に鑑み、２次電池およびｌ次電池の双方を有効に利用可能な記録または再生装置を提供することを目的とする。      
【課題を解決するための手段】
【０００８】
本発明の記録または再生装置は、画像を記録または再生する装置であって、装着された電源が、乾電池であるか乾電池以外のバッテリーであるかを判別する判別手段と、  前記電源が乾電池のときに、前記乾電池の残量を検出する第１の残量検出手段と、前記電源が乾電池以外のバッテリーのときに、前記バッテリーの残量を検出する第２の残量検出手段と、前記電源の残量表示が可能な表示手段とを備え、前記判別手段の判別結果に基づいて、前記第１の残量検出手段及び前記第２の残量検出手段を選択的に用いて残量を検出し、その結果を前記表示手段に表示することを特徴とする。
【０００９】
また、本発明の記録または再生装置において、前記判別手段の判別結果に基づいて、前記電源が乾電池のときと乾電池以外のバッテリーのときとで、前記表示手段は異なる表示形態で残量表示することを特徴とする。
【発明の効果】
【００１０】
本発明によれば、この種の記録または再生装置において、装着された電源に応じて最適な残量の検出及び表示方法を適切に選択することができる。
【発明を実施するための最良の形態】
【００１１】
以下、図面に基づき、本発明による記録または再生装置の好適な実施の形態を説明する。
図１は、本発明の記録または再生装置における第１の実施形態を示している。同図において、１はＶＴＲ装置である。なお、図１では本発明の特徴に関連する部分が示されているが、撮像部（カメラヘッド）、記録再生部および画像表示部等の基本構成を含んでいるものとする。
【００１２】
図１においてさらに、２ａはＶＴＲ装置１に装着される乾電池等の１次電池、２ｂはＶＴＲ装置１に装着されるＮｉｃｄ電池等の２次電池、３ａはＶＴＲ装置１に具備され、装着された電源（１次電池２ａあるいは２次電池２ｂ）の種類を判別するための電源判別端子、４ａおよび５ａは電源が供給される電源端子である。また、３ｂは１次電池２ａに具備され、電源判別端子３ａと接することで、ＶＴＲ装置１に装着された電源の種類を検出させるための端子、４ｂおよび５ｂは電源端子４ａ，５ａと接することでＶＴＲ装置１に電源を供給するための端子である。
【００１３】
６は電源端子４ａ，５ａに接続され、装置全体に必要な電源を供給するための電源部、７は電源種類の検出信号ライン８に接続されるプルアップ抵抗であり、この電源種類検出信号ライン８は電源判別端子３ａから装置全体の動作モードを制御する動作モード制御マイコン９に接続される。１０は記録／再生／早送り等のＶＴＲ装置の動作モードを選択するため操作ボタン、１１は接眼することで記録または再生されるビデオ信号を確認することができるようにしたビューファインダタイプの表示手段（１）、１３は記録または再生されるビデオ信号を表示手段１１よりも大きな画像で確認可能な液晶表示パネル等の表示手段（２）、１２は表示手段１３と電源端子５ａの間に配置され、表示手段１３に供給すべき電源を動作モード制御マイコン９からの制御によって入（ＯＮ）／切（ＯＦＦ）制御するスイッチである。
【００１４】
つぎに、本発明の第１の実施形態における作用を説明する。
図２は、動作モード制御マイコン９が記録媒体を高速度で駆動すべく、駆動モータに大電流を供給して早送り／巻き戻し（ＦＦ／ＲＥＷ）モードの動作を開始するときの動作を示すフローチャートである。操作ボタン１０に具備される早送り／巻き戻しのボタンが操作された場合、動作モード制御マイコン９は、ＶＴＲ装置１に装着されている電源が１次電池２ａ（乾電池）であるか、あるいは２次電池２ｂ（Ｎｉｃｄ電池等）であるかを判別する。装着された電源が１次電池２ａであった場合には、電源種類検出信号ライン８は１次電池２ａの内部で接地され、低レベルの信号となる。
【００１５】
一方、ＶＴＲ装置１に２次電池２ｂが装着された場合、電源種類検出信号ライン８は２次電池２ｂの内部で接地されないため、高レベルの信号となる。動作モード制御マイコン９は、電源種類検出信号ライン８から高レベルの信号が入力されると、装着された電源がＮｉｃｄ等の２次電池２ｂであると判別する。スイッチ１２をＯＮするように制御することで、表示手段１３を動作させた後にテープ給送駆動モータを高速度で回転させ、ＦＦ／ＲＥＷモードに遷移する。
【００１６】
動作モード制御マイコン９は、電源種類検出信号ライン８から低レベルの信号が入力された場合には、装着された電源が乾電池であると判別する。装置全体で消費する電力の最大値を低く押さえるために、動作モード制御マイコン９は表示手段１３の電源をＯＦＦするようにスイッチ１２を制御する。そして、この後にテープ給送駆動モータを高速度で回転させ、ＦＦ／ＲＥＷモードに遷移する。これにより表示手段１３で消費される電力相当分だけ、乾電池の内部抵抗成分等による電源電圧降下を抑制するように制御する。
【００１７】
つぎに図３は、本発明の記録または再生装置における第２の実施形態を示している。第２の実施形態において、前述したＶＴＲ装置１〜表示手段１１を含み、これらの部材は第１の実施形態のものと実質的に同様な構成および作用を有している。
【００１８】
図３において、２０はＶＴＲ装置１全体の動作モードを選択するためのスイッチである。この動作モード選択スイッチ２０は、カメラ撮影を行うためのカメラポジション、撮影した画像を再生し、あるいは記録位置を検索するための早送り／巻き戻し動作を行うためのＶＴＲポジションおよび装置全体をＯＦＦするための電源切りポジションの３つのポジションを選択することができる。２２は電源端子５ａの端子電圧を検出するために、Ａ／Ｄ変換部２１を介して動作モード制御マイコン９に接続される電源電圧検出信号ラインである。
【００１９】
図４は、第２の実施形態における動作を示すフローチャートである。動作モード選択スイッチ２０が電源切りポジション以外に操作されると、動作モード制御マイコン９は動作モード選択スイッチ２０が操作されたポジションを判別する。カメラポジションが選択された場合には、ＶＴＲ装置１全体をカメラ撮影に移行可能なカメラ記録スタンバイモードへ遷移させる。ＶＴＲポジションが選択された場合にはＶＴＲ装置１に装着された電源の種類を判別するために、電源種類検出信号ライン８の制御ラインの信号レベルを検出する。
【００２０】
高レベルの信号が入力されている場合には、装着された電源はＮｉｃｄ等の２次電池２ｂと判別し、装置全体をＶＴＲモードに遷移させる。低レベルの信号が入力されている場合には、ＶＴＲ装置１に装着された電源は１次電池２ａ（乾電池）と判別し、電源電圧検出信号ライン２２から入力される乾電池の電圧データを読み込む。乾電池の電圧がＶＴＲモードの遷移に要求される電圧以上であった場合には、そのままＶＴＲモードに遷移する。一方、乾電池の消耗が始まっており、ＶＴＲモードでの動作が保証できない可能性があると判断された場合には、図５（Ａ）に示されるような表示を表示手段１１に出力し、ＶＴＲモードで動作できないことをユーザに警告する。
【００２１】
ここで図６は、第２の実施形態の回路構成（図３）で装着されたバッテリーの種類を検出し、検出された電源の種類によってバッテリー残量の検出方法および検出方法を切り替える場合の動作モード制御マイコン９の動作を示すフローチャートである。
【００２２】
バッテリー残量処理において、動作モード制御マイコン９はバッテリーの端子の端子電圧を検出するために、電源電圧検出信号ライン２２から入力される電源電圧データを読み込む。つぎに、電源種類検出信号ライン８から入力される信号レベルにより、装着されているバッテリの種類を判別する。装着されたバッテリーがＮｉｃｄ等の電源であった場合、電源電圧検出信号ライン２２から入力されたデータが、今までに計測された電源電圧値データよりも小さいか否かを比較する所謂、最低電圧データ抽出処理を行う。より低い電圧データが検出された場合は最小値電圧データを更新してマイコンに記憶し、そうでなければ電圧データの更新は行わない。
【００２３】
つぎに、マイコンに記憶された電源電圧データに基づき、図５（Ｂ）に示されるようにバッテリー駆動可能時間に換算された時間データを表示し、この処理を終了する。装着されたバッテリーが乾電池であった場合には、動作モード制御マイコン９は、Ａ／Ｄ変換部２１から入力されたデー夕の最小値ホールド等の処理を行う。この場合には、リアルタイムに出力するバッテリー電圧に対応した表示（図５（Ｃ））を行うように制御する。
【図面の簡単な説明】
【００２４】
【図１】本発明の記録または再生装置における第１の実施形態を示すブロック図である。
【図２】本発明の第１の実施形態における動作を示すフローチャートである。
【図３】本発明の記録または再生装置における第２の実施形態を示すブロック図である。
【図４】本発明の第２の実施形態における動作を示すフローチャートである。
【図５】本発明の第２の実施形態における表示手段に出力されるバッテリー情報の例を示す図である。
【図６】本発明の第２の実施形態におけるバッテリー残量検出動作を示すフローチャートである。
【符号の説明】
【００２５】
１    ＶＴＲ装置
２ａ    １次電池
２ｂ    ２次電池
３ａ    電源判別端子
３ｂ    端子
４ａ，５ａ    電源端子
４ｂ，５ｂ    端子
６    電源部
７    プルアップ抵抗
８    電源種類検出信号ライン
９    動作モード制御マイコン
１０    操作ボタン
１１    表示手段（１）
１２    スイッチ
１３    表示手段（２）
２０    動作モード選択スイッチ
２１    Ａ／Ｄ変換部
２２    電源電圧検出信号ライン
【図１】
2004178796.tif 000003
【図２】
2004178796.tif 000004
【図３】
2004178796.tif 000005
【図４】
2004178796.tif 000006
【図５】
2004178796.tif 000007
【図６】
2004178796.tif 000008